(57)【特許請求の範囲】
【請求項１】
振動に応じて撮像装置の光学部品を駆動して、振動による撮像への影響を低減させる防振制御回路であって、
プログラムを用いないロジック回路で構成され、撮像装置の振動を検出する振動検出素子の出力信号に基づいて前記光学部品の駆動量を決定するための振動信号を生成する振動制御用イコライザと、
プログラムを用いないロジック回路で構成され、前記光学部品の位置を検出する位置検出素子の出力信号に基づいて前記光学部品の駆動量を決定するための位置信号を算出する位置制御用イコライザと、
前記振動制御用イコライザと前記位置制御用イコライザとを制御する、プログラムにより処理を行う内蔵ＣＰＵと、
を備え、
前記内蔵ＣＰＵは前記位置検出素子の出力信号を補正し、前記位置制御用イコライザは前記内蔵ＣＰＵによって補正された信号に基づいて前記位置信号を算出することを特徴とする防振制御回路。
【請求項２】
請求項１に記載の防振制御回路であって、
前記内蔵ＣＰＵは、前記光学部品の位置に対して前記位置検出素子の出力信号が直線性を示すように補正を行うことを特徴とする防振制御回路。
【発明の詳細な説明】
【技術分野】
【０００１】
本発明は、撮像装置に組み込まれる防振制御回路に関する。
【背景技術】
【０００２】
近年、デジタルスチルカメラやデジタルビデオカメラ等の撮像装置は、それに備わる撮像素子の画素数を増加させることによって高画質化を実現している。その一方で、撮像装置の高画質化を実現する他の方法として、撮像装置を持つ手のぶれによって生じる被写体のぶれを防止するために、撮像装置は手振れ補正機能を備えることが望まれている。
【０００３】
具体的には、撮像装置はジャイロセンサなどの検出素子を備え、撮像装置の振動によって生じる角速度成分に応じてレンズや撮像素子などの光学部品を駆動して被写体のぶれを防止する。これによって、撮像装置が振動しても、取得される映像信号に振動の成分が反映されることはなく、像ぶれのない高画質な映像信号を取得することができる。
【０００４】
図４に、手振れ補正機能を実現するために用いられる、従来の防振制御回路１００のブロック図を示す。防振制御回路１００は撮像装置に備えられ、撮像装置に備えられる主制御回路（図示せず）の制御に応じて動作する。防振制御回路１００は位置検出素子１０２、レンズ駆動素子１０４及び振動検出素子１０６に接続される。
【０００５】
位置検出素子１０２は、撮像装置に用いられるレンズの位置を検出する。位置検出素子１０２はホール素子とすることができ、レンズの絶対位置に応じた誘導電流を生じ、電圧信号を出力する。レンズ駆動素子１０４はボイスコイルモータとすることができる。防振制御回路１００は、レンズ駆動素子１０４に加える電圧値を調整することによってボイスコイルモータの可動コイルの位置、つまりレンズの位置を制御する。レンズ駆動素子１０４は、撮像装置の光軸に対して垂直な面内でレンズを駆動する。振動検出素子１０６は、撮像装置の振動を検出してその結果を防振制御回路１００に出力する。振動検出素子１０６はジャイロセンサとすることができる。撮像装置に加えられた振動に応じた角速度信号を生成して、防振制御回路１００に出力する。
【０００６】
位置検出素子１０２、レンズ駆動素子１０４及び振動検出素子１０６はそれぞれ少なくとも２つの素子から構成されることが好適である。例えば、撮像装置の光軸に垂直な面において水平成分と垂直成分に対応した複数の素子を設けて、レンズの位置検出、レンズの移動及び撮像装置の振動検出を行う。
【０００７】
次に、防振制御回路１００について詳細に説明する。防振制御回路１００は、サーボ回路１０、レンズドライバ１２、アナログ−デジタル変換回路（ＡＤＣ）１４、ＣＰＵ１６及びデジタル−アナログ変換回路（ＤＡＣ）１８を含んで構成される。
【０００８】
サーボ回路１０は、位置検出素子１０２の出力する電圧信号に応じて、レンズ駆動素子１０４を制御するための信号を生成する。サーボ回路１０は、外付けの抵抗素子やコンデンサ等を含んだアナログのフィルタ回路を含んで構成され、レンズの光軸と撮像装置に備えられる撮像素子の中心とが一致するように、レンズ駆動素子１０４を制御するための信号を生成する。レンズドライバ１２は、サーボ回路１０から出力された信号に基づいて、レンズ駆動素子１０４を駆動するためのレンズ駆動信号を生成する。
【０００９】
ＡＤＣ１４は、振動検出素子１０６が出力するアナログの角速度信号をデジタル信号に変換する。ＣＰＵ１６は、デジタルの角速度信号に基づいて、撮像装置の移動量を示す角度信号を生成する。ＣＰＵ１６は、メモリ（図示しない）に接続され、メモリに格納されたソフトウェアに基づいて角度信号の生成処理を行う。ＤＡＣ１８はＣＰＵ１６で生成されたデジタルの角度信号をアナログ信号に変換する。
【００１０】
ここで、サーボ回路１０は、ＤＡＣ１８が出力するアナログの角度信号と位置検出素子１０２の出力する電圧信号とを加算した信号に応じて、レンズ駆動素子１０４を駆動するためのレンズ駆動信号を生成する。つまり、手振れによる被写体ぶれを防止するために、撮像装置の移動量を示す角度信号に基づいてレンズの位置を変更して、撮像素子上の被写体像のぶれを抑制する。これによって、手振れによる被写体像のぶれを抑制して高画質な映像信号を得ることができる。
【００１１】
【特許文献１】特開平１０−２１３８３２号公報
【発明の開示】
【発明が解決しようとする課題】
【００１２】
ところで、防振制御回路の処理速度を向上させるためにサーボ回路、レンズドライバ、振動検出信号の処理回路をデジタル処理することができるロジック回路に置き換えることが望まれている。さらに、防振制御回路はデジタルカメラ等の撮像素子や撮像素子のレンズモジュールに組み込まれるので、ロジック回路化した場合においてもできるだけ小型化することが必要である。
【００１３】
また、レンズ等の駆動部の位置検出に用いられる位置検出素子の出力信号は基準位置からのずれ量に比例した強度を有する信号であることが望ましい。しかしながら、一般的に、位置検出素子の出力信号は図５に示すように、基準位置からのずれ量に比例した強度とならない。そこで、防振制御回路で位置検出素子の出力信号を直線補正する処理を行うことが必要とされるが、位置検出素子の個々の特性のばらつきによって補正回路を固定的なロジック回路として組み込むことは困難である。
【００１４】
本発明は、上記課題を解決した防振制御回路を提供することを目的とする。
【課題を解決するための手段】
【００１５】
本発明の１つの態様は、振動に応じて撮像装置の光学部品を駆動して、振動による撮像への影響を低減させる防振制御回路であって、撮像装置の振動を検出する振動検出素子の出力信号に基づいて前記光学部品の駆動量を決定するための振動信号を生成する振動制御用イコライザと、前記光学部品の位置を検出する位置検出素子の出力信号に基づいて前記光学部品の駆動量を決定するための位置信号を算出する位置制御用イコライザと、前記振動制御用イコライザと前記位置制御用イコライザとを制御する内蔵ＣＰＵと、を備え、前記内蔵ＣＰＵは前記位置検出素子の出力信号を補正し、前記位置制御用イコライザは前記内蔵ＣＰＵによって補正された信号に基づいて前記位置信号を算出することを特徴とする。
【００１６】
ここで、前記内蔵ＣＰＵは、前記光学部品の位置に対して前記位置検出素子の出力信号が直線性を示すように補正を行うことが好適である。例えば、前記位置制御用イコライザは、前記位置検出素子の出力信号を前記内蔵ＣＰＵへ入力させる切替スイッチを備え、前記位置検出素子の出力信号を前記内蔵ＣＰＵへと入力させて補正できる構成とすることが好適である。
【発明の効果】
【００１７】
本発明によれば、防振制御回路において位置検出素子の非直線性を適切に補正することができる。
【発明を実施するための最良の形態】
【００１８】
本発明の実施形態における防振制御回路２００は、図１の機能ブロック図に示すように、アナログ／デジタル変換回路（ＡＤＣ）２０、加算回路２２、サーボ回路２４、ハイパスフィルタ（ＨＰＦ）２６、パン・チルト判定回路２８、ゲイン調整回路３０、積分回路３２、センタリング処理回路３４、デジタル／アナログ変換回路（ＤＡＣ）３６及び内蔵ＣＰＵ３８を含んで構成される。
【００１９】
加算回路２２及びサーボ回路２４は位置制御用イコライザを構成する。また、ＨＰＦ２６、パン・チルト判定回路２８、ゲイン調整回路３０、積分回路３２及びセンタリング処理回路３４は振動制御用イコライザを構成する。
【００２０】
防振制御回路２００は、位置検出素子１０２、レンズ駆動素子１０４、振動検出素子１０６に接続される。これらの素子は従来技術に記載のものと同様である。すなわち、位置検出素子１０２は、レンズ駆動素子１０４で駆動されるレンズの位置を少なくとも直交変換可能なように測定できるように少なくとも２軸以上に対して設けられる。また、振動検出素子１０６も、ヨー方向及びピッチ方向の２軸に沿って振動の成分を直交変換可能なように少なくとも２軸以上に対して設けられる。
【００２１】
本実施の形態では、撮像装置のヨー方向（Ｘ軸方向）及びピッチ方向（Ｙ軸方向）についてレンズ位置及び振動を検出できるように位置検出素子１０２及び振動検出素子１０６を設置するものとして説明を行う。以下の説明では、位置検出素子１０２及び振動検出素子１０６の出力信号はＸ軸成分同士、Ｙ軸成分同士で加算処理などされ、それぞれに基づいてヨー方向（Ｘ軸方向）及びピッチ方向（Ｙ軸方向）にレンズ位置が制御される。
【００２２】
なお、被写体の移動などに応じて撮像装置を水平方向（ヨー方向）に動かすことをパン動作といい、鉛直方向（ピッチ方向）に移動させることをチルト動作という。
【００２３】
ＡＤＣ２０は、位置検出素子１０２、例えばホール素子から出力されたアナログの電圧信号をデジタル信号に変換する。ホール素子は、レンズに固定された磁石による磁力に応じた誘導電流を生成する。つまり、ホール素子は、レンズとの距離に応じてレンズの位置を示す電圧信号を出力し、ＡＤＣ２０はその電圧信号をデジタル信号に変換して位置信号として出力する。ＡＤＣ２０は、レンズの光軸と撮像装置に備えられる撮像素子の中心とが一致する場合に、基準を示す信号、例えば、“０”を示すデジタル値を出力する構成とする。
【００２４】
また、ＡＤＣ２０は、振動検出素子１０６、例えばジャイロセンサから出力されたアナログの角速度信号をデジタル信号に変換する。すなわち、ＡＤＣ２０は、位置検出素子１０２及び振動検出素子１０６からの出力信号を時分割でデジタル化して出力する。
【００２５】
具体的には、図２に示すように、振動検出素子１０６で検出される振動のＸ軸成分の信号（Ｇｙｒｏ−Ｘ）、位置検出素子１０２で検出されるレンズの位置のＸ軸成分の信号（Ｈｏｌｅ−Ｘ）、振動検出素子１０６で検出される振動のＹ軸成分の信号（Ｇｙｒｏ−Ｙ）、位置検出素子１０２で検出されるレンズの位置のＹ軸成分の信号（Ｈｏｌｅ−Ｙ）の順に信号をデジタル化して出力する。
【００２６】
ＨＰＦ２６は、振動検出素子１０６から出力される角速度信号に含まれる直流成分を除去し、撮像装置の振動が反映された角速度信号の高周波成分を抽出する。
【００２７】
パン・チルト判定回路２８は、ＨＰＦ２６の出力する角速度信号に基づいて、撮像装置のパン動作、チルト動作を検出する。被写体の移動などに応じて撮像装置を移動させる場合、振動検出素子１０６はその移動に応じた角速度信号を出力する。しかし、パン動作またはチルト動作による角速度信号の変動は、手振れによるものではないため、レンズなどの光学系を補正する必要がない場合がある。パン・チルト判定回路２８は上記のような制御を実現するために設けられる。具体的には、パン・チルト判定回路２８は、一定期間角速度信号が所定値以上となることを検出したときに、パン動作またはチルト動作中であると判定する。
【００２８】
ゲイン調整回路３０は、パン・チルト判定回路２８の判定結果に応じて、ＨＰＦ２６から出力される角速度信号の増幅率を変更する。例えば、パン動作またはチルト動作中でない場合には、ゲイン調整回路３０はＨＰＦ２６が出力する角速度信号の強度を維持するようなゲイン調整を行う。また、パン動作またはチルト動作中の場合には、ゲイン調整回路３０はＨＰＦ２６が出力する角速度信号の強度を減衰して出力が０となるようなゲイン調整を行う。
【００２９】
積分回路３２は、ゲイン調整回路３０が出力する角速度信号を積分して、撮像装置の移動量を示す角度信号を生成する。積分回路３２は、図示しないデジタルフィルタを含んで構成することが好適であり、図示しないレジスタに設定されたフィルタ係数に応じたフィルタ処理を行うことによって角度信号、つまり撮像装置の移動量を求める。
【００３０】
センタリング処理回路３４は、積分回路３２から出力される角度信号に対して、所定の値を減算して、撮像装置の移動量を示す振動成分信号（ＳＶ−Ｘ，ＳＶ−Ｙ）を生成する。撮像装置において手振れ補正処理を行う場合、補正処理を継続して実行するうちにレンズの位置が基準位置から徐々に離れていき、レンズの可動範囲の限界点付近に達する場合がある。このとき、手振れ補正処理を継続すると、レンズはある一方の方向には移動できるが、他方には移動できなくなる。センタリング処理回路３４はこれを防止するために設けられるものであり、角度信号から所定の値を減算することによって、レンズの可動範囲の限界点に近づきにくいように制御する。
【００３１】
センタリング処理回路３４は、図示しないデジタルフィルタを含んで構成することが好適であり、図示しないレジスタに設定されたフィルタ係数に応じたフィルタ処理を行うことによって、角度信号から所定の値を減算する処理を行う。
【００３２】
ＡＤＣ２０と加算回路２２との間に設けられた切り替えスイッチが開状態である場合、位置検出素子１０２で検出されるレンズの位置のＸ軸成分の信号（Ｈｏｌｅ−Ｘ）、位置のＹ軸成分の信号（Ｈｏｌｅ−Ｙ）は、ＡＤＣ２０から内蔵ＣＰＵ３８へ入力される。なお、切り替えスイッチは、内蔵ＣＰＵ３８により開閉制御される。内蔵ＣＰＵ３８は、外部からの設定等に応じて切り替えスイッチの開閉を制御する。
【００３３】
内蔵ＣＰＵ３８では、レンズの位置のＸ軸成分の信号（Ｈｏｌｅ−Ｘ）、位置のＹ軸成分の信号（Ｈｏｌｅ−Ｙ）の補正処理が行われる。内蔵ＣＰＵ３８の内蔵メモリには位置検出素子１０２の出力の非線形性を補正するための補正関数が予め格納されている。内蔵ＣＰＵ３８は、図３に示すように、入力されたＸ軸成分の信号（Ｈｏｌｅ−Ｘ）及びＹ軸成分の信号（Ｈｏｌｅ−Ｙ）を補正関数に導入することによってレンズの基準位置（一般的にＨｏｌｅ−Ｘ，Ｈｏｌｅ−Ｙが０となる基準光軸）からのずれ量に比例した強度を有する信号に変換する。
【００３４】
補正関数は、位置検出素子１０２の各々に対して設定される。本実施の形態では、レンズのＸ軸及びＹ軸の駆動方法に沿って位置検出素子１０２が設けられているので、Ｘ軸及びＹ軸の位置検出素子１０２のそれぞれに対して補正関数を設定し、Ｘ軸成分の信号（Ｈｏｌｅ−Ｘ）及びＹ軸成分の信号（Ｈｏｌｅ−Ｙ）をそれぞれの補正関数で更正する。
【００３５】
なお、補正関数は、予め位置検出素子１０２であるホール素子の出力特性を測定し、その出力特性がレンズの位置に対して直線的な変化となるように内蔵ＣＰＵ３８の内蔵メモリに格納しておくことが好適である。
【００３６】
また、本実施の形態では、補正関数を用いてレンズの位置のＸ軸成分の信号（Ｈｏｌｅ−Ｘ）、位置のＹ軸成分の信号（Ｈｏｌｅ−Ｙ）の補正処理を行うものとしたが、これに限定されるものではなく、ＡＤＣ２０から入力されたＸ軸成分の信号（Ｈｏｌｅ−Ｘ）及びＹ軸成分の信号（Ｈｏｌｅ−Ｙ）に対して補正されたＸ軸成分の信号（Ｈｏｌｅ−Ｘ）及びＹ軸成分の信号（Ｈｏｌｅ−Ｙ）をそれぞれ対応付けた補正テーブルを用いて補正処理を行う等してもよい。
【００３７】
ＡＤＣ２０と加算回路２２との間に設けられた切り替えスイッチが閉状態である場合、位置検出素子１０２で検出されるレンズの位置のＸ軸成分の信号（Ｈｏｌｅ−Ｘ）、位置のＹ軸成分の信号（Ｈｏｌｅ−Ｙ）は補正されることなく加算回路２２へ直接送られる。
【００３８】
加算回路２２は、ＡＤＣ２０と加算回路２２との間に設けられた切り替えスイッチが開状態である場合、内蔵ＣＰＵ３８から出力される補正された位置信号（Ｈｏｌｅ−Ｘ）とセンタリング処理回路３４で生成されたＸ軸成分の振動成分信号（ＳＶ−Ｘ）を加算し、また、内蔵ＣＰＵ３８から出力される補正された位置信号（Ｈｏｌｅ−Ｙ）とセンタリング処理回路３４で生成されたＹ軸成分の振動成分信号（ＳＹ−Ｙ）を加算してサーボ回路２４へ出力する。また、加算回路２２は、ＡＤＣ２０と加算回路２２との間に設けられた切り替えスイッチが閉状態である場合、ＡＤＣ２０から出力される補正されていない位置信号（Ｈｏｌｅ−Ｘ）とセンタリング処理回路３４で生成された振動成分信号（ＳＶ−Ｘ）を加算し、また、ＡＤＣ２０から出力される補正されていない位置信号（Ｈｏｌｅ−Ｙ）とセンタリング処理回路３４で生成された振動成分信号（ＳＶ−Ｙ）を加算してサーボ回路２４へ出力する。
【００３９】
サーボ回路２４は、加算回路２２からの出力信号に応じて、レンズ駆動素子１０４の駆動を制御する補正信号ＳＲを生成する。サーボ回路２４は、レジスタとデジタルフィルタ回路を含んで構成され、レジスタに格納されるフィルタ係数を用いたフィルタ処理を行う。
【００４０】
ＤＡＣ３６はデジタルの補正信号ＳＲをアナログ信号に変換する。ＤＡＣ３６によってアナログ化された補正信号ＳＲに基づいて、レンズ駆動素子１０４によりＸ軸方向及びＹ軸方向についてそれぞれ撮像装置のレンズが駆動される。
【００４１】
また、内蔵ＣＰＵ３８は、上記位置信号（Ｈｏｌｅ−Ｘ，Ｈｏｌｅ−Ｙ）の補正処理のみならず、防振制御回路２００に含まれる各種フィルタの係数やサーボ回路２４の制御パラメータを設定する。また、内蔵ＣＰＵ３８によって、防振制御回路２００で必要とされる他の付加的な処理を行うものとしてもよい。
【００４２】
図１に記載の防振制御回路２００を用いた、手振れによる被写体のぶれを補正するためのレンズの移動制御について説明する。以下においてはＡＤＣ２０と加算回路２２との間に設けられた切り替えスイッチが開状態である場合について説明する。
【００４３】
まず、手振れによる被写体のぶれのない場合について説明する。レンズ駆動素子１０４によって駆動されるレンズの位置は、その光軸と撮像装置に備えられる撮像素子の中心が一致するため、内蔵ＣＰＵ３８は“０”を示すデジタルの補正された位置信号（Ｈｏｌｅ−Ｘ，Ｈｏｌｅ−Ｙ）を出力する。サーボ回路２４は、補正された位置信号（Ｈｏｌｅ−Ｘ，Ｈｏｌｅ−Ｙ）の値が“０”のとき、現在のレンズの位置を維持するようにレンズ駆動素子１０４を制御する補正信号ＳＲを出力する。
【００４４】
また、レンズの位置と撮像素子の中心が一致しない場合、内蔵ＣＰＵ３８は“０”と異なる値を示すデジタルの補正された位置信号（Ｈｏｌｅ−Ｘ，Ｈｏｌｅ−Ｙ）を出力する。サーボ回路２４は、内蔵ＣＰＵ３８の出力する値に応じて、補正された位置信号（Ｈｏｌｅ−Ｘ，Ｈｏｌｅ−Ｙ）の値が“０”となるようにレンズ駆動素子１０４を制御する補正信号ＳＲを出力する。上記の動作を繰り返すことによって、レンズの位置と撮像素子の中心が一致するように、レンズの位置を制御する。
【００４５】
次に、手振れによって被写体のぶれが生じた場合について説明する。レンズ駆動素子１０４によって駆動されるレンズの位置は、その光軸と撮像装置に備えられる撮像素子の中心が一致するため、内蔵ＣＰＵ３８は“０”を示すデジタルの補正された位置信号（Ｈｏｌｅ−Ｘ，Ｈｏｌｅ−Ｙ）を出力する。一方、手振れによって撮像装置が移動するため、積分回路３２及びセンタリング処理回路３４は撮像装置の移動量を示す振動成分信号（ＳＶ−Ｘ，ＳＶ−Ｙ）を出力する。
【００４６】
サーボ回路２４は、ＡＤＣ２０が出力する“０”を示す補正された位置信号（Ｈｏｌｅ−Ｘ）とセンタリング処理回路３４が出力する振動成分信号（ＳＶ−Ｘ）とを加算した信号に応じて補正信号ＳＲを生成する。このとき、補正された位置信号（Ｈｏｌｅ−Ｘ）は“０”であるにも関わらず、“０”でない振動成分信号（ＳＶ−Ｘ）が加算されているため、サーボ回路２４はレンズを移動させる補正信号ＳＲを生成する。この補正信号ＳＲに応じてＸ軸のレンズ駆動素子１０４を制御する。同様に、ＡＤＣ２０が出力する“０”を示す補正された位置信号（Ｈｏｌｅ−Ｙ）とセンタリング処理回路３４が出力する振動成分信号（ＳＶ−Ｙ）とを加算した信号に応じて、補正信号ＳＲを生成する。このとき、補正された位置信号（Ｈｏｌｅ−Ｙ）は“０”であるにも関わらず、“０”でない振動成分信号（ＳＶ−Ｙ）が加算されているため、サーボ回路２４はレンズを移動させる補正信号ＳＲを生成する。この補正信号ＳＲに応じてＹ軸のレンズ駆動素子１０４を制御する。サーボ回路２４が出力する補正信号ＳＲに基づいて、レンズ駆動素子１０４はレンズを移動させるため、撮像装置に備えられた撮像素子は手振れによる被写体のぶれを抑制した信号を得ることができる。このような制御を繰り返すことによって、防振制御回路２００は手振れ補正制御を実現している。
【００４７】
以上のように、本発明の実施形態では、防振制御回路２００はＨＰＦ２６、積分回路３２及びセンタリング処理回路３４を設ける構成としたことによって、内蔵ＣＰＵ３８によって上記処理を行う構成に比べて回路面積を縮小することが可能となる。これによって、防振制御回路２００が搭載される半導体チップのコストを低減することが可能となる。
【００４８】
さらに、内蔵ＣＰＵ３８によって位置検出素子１０２の非線形性を補正することによって、より精度の高い防振制御を行うことができる。位置検出素子１０２の非線形性は素子の種類毎や素子毎にばらつきがあるため、その補正回路をロジック回路化することが難しく、内蔵ＣＰＵ３８に内蔵されるファームウェアによって対応することによって位置検出素子１０２の種類の変更や個々のばらつきに応じた補正をより適切に行うことができる。
【００４９】
なお、本発明の実施形態では、位置検出素子１０２、レンズ駆動素子１０４、振動検出素子１０６はそれぞれ、ホール素子、ボイスコイルモータ、ジャイロセンサとしたが、本願はそれに限られるものではない。例えば、レンズ駆動素子１０４はピエゾ素子を用いることができる。また、振動検出素子１０６は、直線方向の加速度を検出するセンサを用いて、加速度信号に基づいて撮像装置の振動を検出する構成とすることができる。
【００５０】
また、本発明の実施形態では、レンズを駆動させて手振れ補正処理を行うレンズシフト方式としたが、本発明はこれに限られるものではない。たとえば、本発明は、撮像装置のぶれに応じてＣＣＤ素子などの撮像素子をシフトさせるＣＣＤシフト方式にも適用することができる。このとき、位置検出素子１０２は撮像素子の位置を検出し、レンズ駆動素子１０４は撮像素子を駆動する素子とすることができる。
【図面の簡単な説明】
【００５１】
【図１】本発明の実施の形態における防振制御回路の構成を示す図である。
【図２】本発明の実施の形態における振動検出素子及び位置検出素子の相対的な配置を示す図である。
【図３】本発明の実施の形態における位置検出素子の出力信号の補正処理を説明する図である。
【図４】従来の防振制御回路の構成を示す図である。
【図５】位置検出素子の出力信号を示す図である。
【符号の説明】
【００５２】
１０  サーボ回路、１２  レンズドライバ、２０  アナログ／デジタル変換回路、２２  加算回路、２４  サーボ回路、２６  ハイパスフィルタ、２８  パン・チルト判定回路、３０  ゲイン調整回路、３２  積分回路、３４  センタリング処理回路、３６  デジタル／アナログ変換回路、３８  内蔵ＣＰＵ、１００，２００  防振制御回路、１０２  位置検出素子、１０４  レンズ駆動素子、１０６  振動検出素子。
【図１】
0005237621.tif 000002
【図２】
0005237621.tif 000003
【図３】
0005237621.tif 000004
【図４】
0005237621.tif 000005
【図５】
0005237621.tif 000006